(57)【要約】【課題】  電源を切った状態であっても無線信号を検出できる携帯型電子装置及びその検出方法を提供することにある。【解決手段】  内部に内蔵型制御器（ＥＣ）を設けた本体モジュール、及び、無線信号検出器を具えた表示器モジュールを含み、電源を切った状態において、前記内蔵型制御器を応用した前記無線信号検出器を起動することができ、且つ、前記無線信号検出器が一度無線信号の反応を検出した時、前記内蔵型制御器のファームウエア機能を介して、前記携帯型電子装置が自動的に電源を開くことや無線ＬＡＮに連結、或いは、先に手動によって電源を開くよう提示させ、そして使用者が手動で電源を開くことや無線ＬＡＮに連結することで、重複した電源を開くことを避け、時間の節約、省エネ、及び、電池寿命を延長する長所を具えることができることを特徴とする。【選択図】  図１
2007133848.tif 000002
【特許請求の範囲】
【請求項１】
電源を切った状態であっても無線信号を検出できる携帯型電子装置において、内部に内蔵型制御器（ＥＣ）を設けた本体モジュール、及び、無線信号検出器を具えた表示器モジュールを含み、前記無線信号検出器が前記の内蔵型制御器（ＥＣ）の入力/出力側と接続し  且つ、前記内蔵型制御のファームウエアが電源を切った状態でも入力信号に基づいて前記無線信号検出器を起動し、また、前記無線信号検出器が無線信号の検出の有無を検査できることを特徴とする、携帯型電子装置。
【請求項２】
請求項１記載の携帯型電子装置において、前記本体モジュールに無線信号検出押ボタンを備え、前記内蔵型制御器の入力側と接続し、且つ、一度触圧して内蔵型制御器に対して前記入力信号を発生できることを特徴とする、携帯型電子装置。
【請求項３】
請求項１或いは請求項２記載の携帯型電子装置において、前記本体モジュールは表示ランプも設け、前記内蔵型制御器の入力側と接続を構成し、且つ、前記内蔵型制御器で前記表示ランプのランプを制御できることを特徴とする、携帯型電子装置。
【請求項４】
請求項１に基づく一種の前記携帯型電子装置は、電源を切った状況で無線信号を検出する検出方法において、
ａ）前記内蔵型制御器に対して入力信号を発生することと、
ｂ）前記内蔵型制御器がステップａ）の入力信号に基づいて無線信号の検出器の起動と無線信号の検出を実行開始すると、
ｃ）無線信号の検出の有無を検査し、無線信号を検出した場合、ステップｄ）を行うこと、及び、
ｄ）携帯型電子装置が自動的に電源を入れ、且つ、無線ＬＡＮにリンク、或いは、ランプで使用者に手動で電源を入れるよう提示して、無線ＬＡＮにリンクすることを特徴とする、携帯型電子装置。
【発明の詳細な説明】
【技術分野】
【０００１】
本発明は、一種の携帯型電子装置に関り、特に、一種の電源を切った状態でも無線信号を検出できる携帯型電子装置に関する。
【背景技術】
【０００２】
無線送信技術が急速に成長している環境において、多くの携帯型電子装置には、無線アクセス機能を具えている。例えば、ノートブックタイプコンピュータ（ＮＢ）或いは電子手帳（ＰＤＡ）などは、すでに無線ネットワークの受信／送信インターフェースが構築され、且つ無線ＬＡＮの通信範囲内において自動的にネットワークに接続することと無線アクセスすることができる。
【０００３】
ただし、現在無線アクセス機能を具えた携帯型装置には、電源を切った状態で無線信号を検出する機能を具えていない。これにより、現在無線アクセス機能を具えた携帯型電子装置が無線ＬＡＮにリンクする過程中において、無線ネットワーク接続検出地点が、無線ＬＡＮの通信範囲の内外であるかどうかを問わず、必ず電源を入れ且つオペレーティングシステムが実行を終了した後でネットワーク接続検出を実施しなければならない。
【０００４】
特に、使用者が単純に携帯型電子装置で無線アクセスしたいと思い、且つ無線ネットワーク接続検出の地点が、丁度無線ＬＡＮの通信範囲外にあったことにより、無線信号の反応を検出できない場合、この時、使用者は必ず電源を切って、次の地点に移動した後で電源を入れて検出できる。つまり、現在の携帯型電子装置のネットワーク接続の検出モードは、時間を無駄遣いすると共に電池の電力を浪費する欠点がある。
【発明の開示】
【発明が解決しようとする課題】
【０００５】
本発明の主要な目的は、電源を切った状態でも無線信号を検出できる携帯型電子装置を提供することにあり、現在の携帯型電子装置は電源を入れた後でしかネットワーク接続検出を実施できないという欠点を解決することができ、特に、電源を切った状態でも先に無線信号を検出できるため、電源を何度も入れることを避けることができ且つ時間の節約、省エネを備え、及び携帯型電子装置の電池寿命を延長できる長所を具えることになる。
【課題を解決するための手段】
【０００６】
本発明で提供する携帯型電子装置は、内部に内蔵型制御器（ＥＣ）を設けた本体モジュール、及び無線信号検出器を設置した表示器モジュールを含み、その前記無線信号検出器が前記内蔵型制御器の入力／出力側と電気的な接続を構成することで、携帯型電子装置が電源を切った状態でも内蔵型制御器を応用して無線信号検出器を起動させることができ、且つ無線信号検出器が無線信号の反応を検出した時、携帯型電子装置は内蔵型制御器を応用して無線アクセスできることを表示ランプで示すことができる。
【０００７】
本発明の携帯型電子装置が電源を切った状態でも一度無線信号の反応を検出した時、前記内蔵型制御器のファームウエア機能を介して、自動的に電源を入れることと無線ＬＡＮにリンクすることができ、或いは、まず手動で電源を入れるよう提示し、更に使用者の電源が入るのを待って無線ＬＡＮにリンクし、その方法には主に以下のステップを含む。
ａ）前記内蔵型制御器に対して入力信号が発生する。
ｂ）前記内蔵型制御器がステップａ）の入力信号に基づいて無線信号の検出器の起動と無線信号の検出を実行開始する。
ｃ）無線信号の検出の有無を検査し、無線信号を検出した場合、ステップｄ）を行う。
ｄ）携帯型電子装置が自動的に電源を入れ、且つ無線ＬＡＮにリンク、或いは、ランプで使用者に手動で電源を入れるよう提示して、無線ＬＡＮにリンクする。
【実施例】
【０００８】
図１を見ると、本発明の前記携帯型電子装置１０の特徴は、電源を切った状態においても無線ＬＡＮの通信範囲内の無線信号を検出することができ、且つ無線信号の反応を検出した時、無線アクセスが実施できることを提示でき、或いは、更に一歩進んで携帯型電子装置１０が自動的に電源を入れて無線ＬＡＮにリンクさせることができる。
【０００９】
本発明の携帯型電子装置１０の基本構造は、大まかに本体モジュール２０及び表示器モジュール３０を含む。その前記本体モジュール２０の内部に、従来のマザーボードを設けている以外に、内蔵型制御器（Ｅｍｂｅｄｄｅｄ Ｃｏｎｔｒｏｌｌｅｒ， ＥＣ）５０も設け、及び、該本体モジュール２０の側面２１に無線信号検出押ボタン７０及び／或いは表示ランプ８０を設け、前記表示器モジュール３０には表示パネル３１及び表示パネル３１を組み立てることに用いる外側カバー３２を含み、且つ該表示器モジュール３０の表示パネル３１と外側カバー３２の間に先行して残っているスペースは、無線信号検出器６０をその内部に組み込むことに提供される。
【００１０】
図２を見ると、本発明の前記無線信号検出押ボタン７０が前記内蔵型制御器５０の入力側と電気的な接続を構成し、本発明の前記無線検出器６０が前記内蔵型制御器５０の入力／出力側と電気的な接続を構成し、本発明の前記表示ランプ８０が前記内蔵型制御器５０の出力側と電気的な接続を構成し、前記内蔵型制御器５０の出力信号を介して無線信号検出器６０の起動及び表示ランプ８０のランプを制御できる。前記内蔵型制御器５０及び無線信号検出器６０の必要な電力は、電源供給装置９０を利用して提供される。
【００１１】
本発明の前記携帯型電子装置１０が電源を切った状態の時、一度無線信号検出押ボタン７０を触圧することで内蔵型制御器５０に対して入力信号を発生させることができ、且つ内蔵型制御器５０の制御ソフトウエア（以下、ファームウエアという）が現在無線ネットワーク接続検出を実施する地点は、無線LＡNの通信範囲内にあるかどうかを確定するため、無線信号検出押ボタン７０の入力信号に基づいて無線信号検出器６０を起動させ、また無線信号検出器６０が無線信号の検出機能を実行開始し、この時、内蔵型制御器５０のファームウエアが無線信号検出器６０の検出状況に基づいて、表示ランプ８０のランプで無線アクセスできるかどうかを提示することを制御する。
【００１２】
本発明の前記携帯型電子装置１０は、電源を切った状態でも無線信号を検出する機能を具えているため、もしも使用者が単純に無線LＡNにリンクしたい時、重複した電源を入れるという不便を避けることができ、時間の節約や省エネ、及び携帯型電子装置１０の電池寿命を延長できるという長所を具える。
【００１３】
図３を見ると、本発明の前記電子装置１０は、電源を切った状態にあっても一度無線信号の反応を検出した時、本発明の前記内蔵型制御器５０のファームウエア機能を介して、自動的に電源を入れることと無線LＡNにリンクすることができ、その方法には以下のステップを含む。
ａ）無線信号検出押ボタン７０を触圧すると内蔵型制御器５０に対して入力信号を発生させる。
ｂ）検出終了信号の受信の有無を検査し、検出終了信号を受信した場合、ステップｅ）を実行し、さもなければ、内蔵型制御器５０がステップａ）の入力信号に基づいて無線信号検出器６０の起動と無線信号の検出を実行する。
ｃ）無線信号の検出の有無を検査し、無線信号を検出した場合、ステップｄ）を実行し、でなければ、ステップｂ）を実行する。
ｄ）携帯型電子装置１０が自動的に電源を入れることと無線LＡNにリンクする。
ｅ）検出の終了。
【００１４】
図４を見ると、本発明の前記携帯型電子装置１０は、電源を切った状態にあっても一度無線信号の反応を検出した時、本発明の前記内蔵型制御器５０のファームウエア機能を介して、表示ランプ８０のランプ制御を経て使用者に手動で電源を入れるよう提示することで無線アクセスの実施を制御することでき、その方法には、以下のステップを含む。
ａ）無線信号検出押ボタン７０を触圧すると内蔵型制御器５０に対して入力信号を発生させる。
ｂ）検出終了信号の受信の有無を検査し、検出終了信号を受信した場合、ステップｅ）を実行し、さもなければ、内蔵型制御器５０がステップａ）の入力信号に基づいて無線信号検出器６０の起動と無線信号の検出を実行する。
ｃ）無線信号の検出の有無を検査し、無線信号を検出した場合、ステップｄ）を実行し、でなければ、ステップｂ）を実行する。
ｄ）ランプで使用者に手動で電源を入れるよう提示することで無線アクセスの実施。
ｅ）検出の終了。
【００１５】
本発明では、上記の好ましい実施例で詳細に説明したがその内容が上記の実施例に限定されることが無いものとし、内蔵型制御器（ＥＣ）を応用して携帯型電子装置が電源を切った状態においても無線信号を検出できる機能を具えるものに対して簡単な修正、修飾、改良或いは変化を行った場合でも、本発明のカバー、主張できる特許権範囲に属する。
【図面の簡単な説明】
【００１６】
【図１】本発明の電源を切った状態においても無線信号を検出できる携帯型電子装置の構造見取図である。
【図２】図１に示す携帯型電子装置が、電源を切った状態においても無線信号を検出できる主要組成部品の配置図である。
【図３】本発明の携帯型電子装置が、電源を切った状態においても無線信号を検出でき、本発明の携帯型電子装置が無線信号の反応を検出した時、自動的に電源を入れることで無線LＡNにリンクすることの説明に用いる検出方法のフローチャート図である。
【図４】本発明の携帯型電子装置が、電源を切った状態においても無線を検出でき、本発明の携帯型電子装置が無線信号の反応を検出した時、ランプを介して使用者に手動で電源を入れることと無線アクセスを実施するよう提示することの説明に用いる検出方法のフローチャート図である。
【符号の説明】
【００１７】
１０  携帯型電子装置
２０  本体モジュール
２１  側面
３０  表示器モジュール
３１  表示パネル
３２  外側カバー
５０  内蔵型制御器
６０  無線信号検出器
７０  無線信号押ボタン
８０  表示ランプ
９０  電源供給装置
【図１】
2007133848.tif 000003
【図２】
2007133848.tif 000004
【図３】
2007133848.tif 000005
【図４】
2007133848.tif 000006